(57)【要約】      （修正有）【課題】ＰＴＰ包装された錠剤やカプセルを片手で簡単に押し出し、指で触れずに衛生的に服用や携帯ができるＰＴＰ包装錠剤押し出し機能付き錠剤ケースを提供する。【解決手段】包装錠剤押し出し状態Ｃで錠剤シート端ガイド１と錠剤位置決めガイド２によりＰＴＰ錠剤シートの錠剤やカプセルと錠剤押し出し溝４の位置を合わせ、指で押せば錠剤やカプセルは錠剤押し出し溝４を通り抜け錠剤受け部３に集まり、錠剤取り出し口５から指で触れず服用できる。また、包装錠剤押し出し状態Ｃでケースカバーの表裏を差し替えると錠剤ケース携帯状態Ｄとなり、押し出した錠剤やカプセルを指で触れず外部環境から隔て携帯できる。【選択図】図５
0003195886.tif 000002
【実用新案登録請求の範囲】
【請求項１】
樹脂製の錠剤ケース本体（Ａ）と透明なケースカバーで構成され、ケースカバー＜オモテ側＞（Ｂ）とケースカバー＜ウラ側＞（ｂ）は錠剤ケース本体（Ａ）と差し替え自在になっている。  錠剤ケースにはＰＴＰ包装シートの位置決めをする錠剤シート端ガイド（１）と錠剤位置決めガイド（２）と錠剤受け部（３）があり、ケースカバー＜オモテ側＞（Ｂ）には錠剤押し出し溝（４）と錠剤取り出し口（５）があることを特徴とするＰＴＰ包装錠剤押し出し機能付き錠剤ケースである。
【考案の詳細な説明】
【技術分野】
【０００１】
本考案は、ＰＴＰ包装された錠剤やカプセルを散乱させず片手で簡単に押し出し、押し出した錠剤やカプセルを衛生的に服用・携帯が出来る錠剤ケースに関するものである。
【背景技術】
【０００２】
多くの人が病気治療や健康のため、薬剤やサプリメントを服用している。  薬剤やサプリメントの錠剤やカプセルの多くはＰＴＰ包装されている。  ＰＴＰ包装とは錠剤やカプセルをアルミなどの薄い金属と成型した合成樹脂シートで1錠ずつ 分けて包装し、ＰＴＰ包装の表から錠剤やカプセルを押し裏から取り出す包装である。
【０００３】
ＰＴＰ包装の錠剤やカプセルを押し出す場合、押す力が強いと錠剤やカプセルは勢いよく飛び出るため散乱する事がある。  また、片手でＰＴＰ包装シートを持ち別の手の指で錠剤やカプセルを押し出すために両手を使う。  また、押し出した錠剤やカプセルは手で受けたり、トレー等の上に出したりして指で摘んで服用するため、手や指やトレー等からバイ菌やウイルスが付着する事がある。
【０００４】
高齢者や障害者には、両手を使いＰＴＰ包装された錠剤やカプセルの押し出す事が困難な場合がある。
【０００５】
錠剤やカプセルは複数個を服用する事が多く、種類や数量を間違えなく服用する事が大切である。
【０００６】
ＰＴＰ包装は錠剤やカプセルを一錠ずつに切り離せない構造が主流となっているが、携帯時にハサミで1錠分に切り離してしまい、ＰＴＰ包装のまま誤飲してしまう高齢者の事故が発生しており、ＰＴＰ包装された錠剤やカプセルは細かく切り離さず保管する事が勧められている。
【０００７】
押し出した錠剤やカプセルを携帯するためには衛生的に品質を維持する事が大切で、錠剤ケースは押し出した錠剤やカプセルを外部環境から隔てなければならない。  また、錠剤ケースは洗浄や消毒を行う必要である。
【０００８】
錠剤には中央に溝があり半分に割り服用する物があが、小さな錠剤を半分に割るのは困難である。
【先行技術文献】
【特許文献】
【０００９】
【特許文献１】特許公開２０１２−５５６６６
【特許文献２】特許公開２００３−２５２３１６
【特許文献３】特開２０１０−１３２３４６
【特許文献４】特開２０１１−１２５３９２
【特許文献５】特開平１１−１３００２５
【考案の概要】
【考案が解決しようとする課題】
【００１０】
解決しようとする課題は、切り離されていないＰＴＰ包装された錠剤やカプセルを片手で簡単に押し出し、衛生的に錠剤やカプセルの種類や数量を間違えずに服用でき、押し出した錠剤やカプセルの品質を維持したまま携帯できる錠剤ケースを提供する事である。
【課題を解決するための手段】
【００１１】
本考案は、合成樹脂製の錠剤ケース本体と透明なケースカバーで構成され、ケースカバーのオモテ側とウラ側は錠剤ケース本体と差し替え自在になっている。  錠剤ケース本体にはＰＴＰ包装シートの位置決めをする錠剤シート端ガイドと錠剤位置決めガイドと錠剤受け部がある。  ケースカバーのオモテ側には錠剤押し出し溝と錠剤取り出し口があり、ケースカバーのウラ側には錠剤分割突起と突起位置ガイドがある。
【００１２】
錠剤ケース本体とケースカバーのオモテ側を取り付けテーブル等に置き、ＰＴＰ包装シートを錠剤ケース本体の錠剤シート端ガイドと錠剤位置決めガイドで位置を決めてケースカバーの上に置き、錠剤やカプセルをＰＴＰ包装の上から押すと、錠剤やカプセルはケースカバーの錠剤押し出し溝を通り錠剤ケース本体の錠剤受け部に落ちる。  前記の動作を繰り返し錠剤やカプセルの服用する数量を錠剤受け部に押し出せる。
【００１３】
ケースカバーが透明であるため、押し出した錠剤やカプセルの種類や数量を目視で確認できる。
【００１４】
押し出した錠剤やカプセルは取り出し口から手で触れずに服用する事ができるため、手や指からのバイ菌やウイルスの付着を最小限にできる。  また、錠剤ケースは構造が簡単で分解ができるため洗浄や消毒も容易にできる。
【００１５】
錠剤やカプセルを押し出した後に、ケースカバーのオモテ側をウラ側に差し替えれば、押し出した錠剤やカプセルを外部環境から隔て携帯できる。
【考案の効果】
【００１６】
本考案のＰＴＰ包装錠剤押し出し機能付き錠剤ケースは、片手でＰＴＰ包装された錠剤やカプセルが押し出せて錠剤受け部に集まり、透明なケースカバーを透して種類や数量を確認できる。  錠剤受け部に集められた錠剤やカプセルを取り出し口から服用でき、ケースカバーのオモテ側をウラ側に差し替えると錠剤やカプセルを外部環境から隔て携帯できるため、バイ菌やウイルスの付着を最小限にできる。  また、構造が単純で分解ができるため洗浄や消毒も容易に行える。  ケースカバーのウラ側には錠剤分割突起と突起位置ガイドがあり、指等で錠剤を押すことで錠剤を２分割できる。
【図面の簡単な説明】
【００１７】
【図１】図１は錠剤ケース本体の実施方法を示した図面である。
【図２】図２は錠剤ケース本体の実施方法を示した斜視図である。
【図３】図３はケースカバーの実施方法を示した図面である。
【図４】図４はケースカバーの実施方法を示した斜視図である。
【図５】図5は錠剤ケース使用時の実施例を示した斜視図である。
【図６】図6は錠剤ケースの錠剤やカプセル取り出し方法の実施例を示した斜視図である。
【図７】図7は錠剤ケースの錠剤やカプセル取り出し方法の実施例を示した断面図である。
【図８】図8は錠剤ケースから錠剤やカプセルを取り出す時の実施例を示した斜視図である。
【図９】図９は錠剤ケースで錠剤やカプセルを携帯する方法の実施例を示した斜視図である。
【図１０】図10は錠剤ケースで錠剤を分割する方法の実施例を示した斜視図と断面図である。
【考案を実施するための形態】
【００１８】
ＰＴＰ包装押し出し機能付き錠剤ケースは合成樹脂製の錠剤ケース本体（Ａ）と透明なケースカバーで構成され、ケースカバー＜オモテ側＞（Ｂ）とケースカバー＜ウラ側＞（ｂ）が錠剤ケース本体（Ａ）と差し替え自在になっている。  錠剤ケースにはＰＴＰ包装シートの位置決めをする錠剤シート端ガイド（１）と錠剤位置決めガイド（２）と錠剤受け部（３）があり、ケースカバー＜オモテ側＞（Ｂ）には錠剤押し出し溝（４）と錠剤取り出し口（５）があり、ケースカバー＜ウラ側＞（ｂ）には錠剤分割突起（６）と突起位置ガイド（７）がある。
【実施例】
【００１９】
図１は、錠剤ケース本体を三角法で描いた図面である。  図２は、錠剤ケース本体（A）と錠剤ケース本体＜ウラ側＞（a）の斜視図である。錠剤ケース本体（A）には錠剤シート端ガイド（1）と錠剤位置決めガイド（２）と錠剤受け部（３）がある。
【００２０】
図３は、ケースカバーを三角法で描いた図面である。  図４は、ケースカバー＜オモテ側＞（Ｂ）とケースカバー＜ウラ側＞（ｂ）の斜視図である。ケースカバー＜オモテ側＞（Ｂ）には錠剤押し出し溝（４）と錠剤取り出し口（５）があり、ケースカバー＜ウラ側＞（ｂ）には錠剤分割突起（６）と突起位置ガイド（７）がある。
【００２１】
図５は、錠剤ケース本体（Ａ）とケースカバー＜オモテ側＞（Ｂ）を組合せたＰＴＰ包装錠剤押し出し状態（Ｃ）と、錠剤ケース本体（Ａ）とケースカバー＜ウラ側＞（ｂ）を組合せた錠剤ケース携帯状態（Ｄ）を表している。
【００２２】
図６は、ＰＴＰ包装錠剤押し出し状態（Ｃ）にＰＴＰ包装シート＜錠剤＞（Ｅ）とＰＴＰ包装シート＜カプセル＞（Ｆ）を配置した状態を表す斜視図である。  図７は、ＰＴＰ包装錠剤押し出し状態（Ｃ）にＰＴＰ包装シート＜錠剤＞（Ｅ）とＰＴＰ包装シート＜カプセル＞（Ｆ）を置き、指で押し出している状態の断面図である。ＰＴＰ包装シート＜錠剤・カプセル＞（Ｅ・Ｆ）をＰＴＰ包装錠剤押し出し状態（Ｃ）の錠剤シート端ガイド（1）と錠剤位置決めガイド（２）に合わせると、ＰＴＰ包装シート＜錠剤・カプセル＞（Ｅ・Ｆ）の錠剤やカプセルと、錠剤押し出し溝（４）の位置が合い、ＰＴＰ包装シート＜錠剤・カプセル＞（Ｅ・Ｆ）を押せば、錠剤やカプセルは錠剤押し出し溝（４）を通り抜け錠剤受け部（３）に落ち、押し出した錠剤やカプセル（８）は錠剤受け部（３）に集まる。
【００２３】
図８は、錠剤取り出し口（５）から押し出した錠剤やカプセル（８）を取り出す状態を表した斜視図である。  押し出した錠剤やカプセル（８）はＰＴＰ包装錠剤押し出し状態（Ｃ）の錠剤ケースを立てると錠剤取り出し口（５）から服用する事ができる。
【００２４】
図９は、押し出した錠剤やカプセル（８）を錠剤受け部（３）に集めたＰＴＰ包装錠剤押し出し状態（Ｃ）と錠剤ケース携帯状態（Ｄ）の断面図である。  押し出した錠剤やカプセル（８）に指で触れずにＰＴＰ包装錠剤押し出し状態（Ｃ）のケースカバー＜オモテ側＞（Ｂ）をケースカバー＜ウラ側＞（ｂ）に差し替えると錠剤ケース携帯状態（Ｄ）に変更でき、押し出した錠剤やカプセル（８）を衛生的に外部環境から隔て携帯する事ができる。
【００２５】
図10は、錠剤分割突起（６）が錠剤の中央に位置するように二本の突起位置ガイド（７）で位置決めをした斜視図と錠剤を錠剤分割突起（６）で錠剤を割った状態の断面図である。  錠剤分割突起（６）は扇状に広がる２本の突起位置ガイド（７）の中央位置にある、錠剤を錠剤分割突起（６）の上を滑らせ錠剤が二本の突起位置ガイド（７）で固定される位置で錠剤を押すと、錠剤分割突起（６）で錠剤の中心線上に力が集中し二つに分割する事ができる。
【符号の説明】
【００２６】
Ａ    錠剤ケース本体
ａ    錠剤ケース本体＜ウラ側＞
Ｂ    ケースカバー＜オモテ側＞
ｂ    ケースカバー＜ウラ側＞
Ｃ    包装錠剤押し出し状態
Ｄ    錠剤ケース携帯状態
Ｅ    ＰＴＰ包装シート＜錠剤＞
Ｆ    ＰＴＰ包装シート＜カプセル＞
１    錠剤シート端ガイド
２    錠剤位置決めガイド
３    錠剤受け部
４    錠剤押し出し溝
５    錠剤取り出し口
６    錠剤分割突起
７    突起位置ガイド
８    押し出した錠剤やカプセル
【図１】
0003195886.tif 000003
【図２】
0003195886.tif 000004
【図３】
0003195886.tif 000005
【図４】
0003195886.tif 000006
【図５】
0003195886.tif 000007
【図６】
0003195886.tif 000008
【図７】
0003195886.tif 000009
【図８】
0003195886.tif 000010
【図９】
0003195886.tif 000011
【図１０】
0003195886.tif 000012
【手続補正書】
【提出日】平成26年11月19日(2014.11.19)
【手続補正１】
【補正対象書類名】明細書
【補正対象項目名】全文
【補正方法】変更
【補正の内容】
【考案の詳細な説明】
【技術分野】
【０００１】
本考案は、ＰＴＰ包装された錠剤やカプセルを散乱させず片手で簡単に押し出し、押し出した錠剤やカプセルを衛生的に服用・携帯が出来る錠剤ケースに関するものである。
【背景技術】
【０００２】
多くの人が病気治療や健康のため、薬剤やサプリメントを服用している。  薬剤やサプリメントの錠剤やカプセルの多くはＰＴＰ包装されている。  ＰＴＰ包装とは錠剤やカプセルをアルミなどの薄い金属と成型した合成樹脂シートで1錠ずつ 分けて包装し、ＰＴＰ包装の表から錠剤やカプセルを押し裏から取り出す包装である。
【０００３】
ＰＴＰ包装の錠剤やカプセルを押し出す場合、押す力が強いと錠剤やカプセルは勢いよく飛び出るため散乱する事がある。  また、片手でＰＴＰ包装シートを持ち別の手の指で錠剤やカプセルを押し出すために両手を使う。  また、押し出した錠剤やカプセルは手で受けたり、トレー等の上に出したりして指で摘んで服用するため、手や指やトレー等からバイ菌やウイルスが付着する事がある。
【０００４】
高齢者や障害者には、両手を使いＰＴＰ包装された錠剤やカプセルの押し出す事が困難な場合がある。
【０００５】
錠剤やカプセルは複数個を服用する事が多く、種類や数量を間違えなく服用する事が大切である。
【０００６】
ＰＴＰ包装は錠剤やカプセルを一錠ずつに切り離せない構造が主流となっているが、携帯時にハサミで1錠分に切り離してしまい、ＰＴＰ包装のまま誤飲してしまう高齢者の事故が発生しており、ＰＴＰ包装された錠剤やカプセルは細かく切り離さず保管する事が勧められている。
【０００７】
押し出した錠剤やカプセルを携帯するためには衛生的に品質を維持する事が大切で、錠剤ケースは押し出した錠剤やカプセルを外部環境から隔てなければならない。  また、錠剤ケースは洗浄や消毒を行う必要である。
【０００８】
錠剤には中央に溝があり半分に割り服用する物があるが、小さな錠剤を半分に割るのは困難である。
【先行技術文献】
【特許文献】
【０００９】
【特許文献１】特許公開２０１２−５５６６６
【特許文献２】特許公開２００３−２５２３１６
【特許文献３】特開２０１０−１３２３４６
【特許文献４】特開２０１１−１２５３９２
【特許文献５】特開平１１−１３００２５
【考案の概要】
【考案が解決しようとする課題】
【００１０】
解決しようとする課題は、切り離されていないＰＴＰ包装された錠剤やカプセルを片手で簡単に押し出し、衛生的に錠剤やカプセルの種類や数量を間違えずに服用でき、押し出した錠剤やカプセルの品質を維持したまま携帯できる錠剤ケースを提供する事である。
【課題を解決するための手段】
【００１１】
本考案は、合成樹脂製の錠剤ケース本体と透明なケースカバーで構成され、ケースカバーのオモテ側とウラ側は錠剤ケース本体と差し替え自在になっている。  錠剤ケース本体にはＰＴＰ包装シートの位置決めをする錠剤シート端ガイドと錠剤位置決めガイドと錠剤受け部がある。  ケースカバーのオモテ側には錠剤押し出し溝と錠剤取り出し口があり、ケースカバーのウラ側には錠剤分割突起と突起位置ガイドがある。
【００１２】
錠剤ケース本体とケースカバーのオモテ側を取り付けテーブル等に置き、ＰＴＰ包装シートを錠剤ケース本体の錠剤シート端ガイドと錠剤位置決めガイドで位置を決めてケースカバーの上に置き、錠剤やカプセルをＰＴＰ包装の上から押すと、錠剤やカプセルはケースカバーの錠剤押し出し溝を通り錠剤ケース本体の錠剤受け部に落ちる。  前記の動作を繰り返し錠剤やカプセルの服用する数量を錠剤受け部に押し出せる。
【００１３】
ケースカバーが透明であるため、押し出した錠剤やカプセルの種類や数量を目視で確認できる。
【００１４】
押し出した錠剤やカプセルは取り出し口から手で触れずに服用する事ができるため、手や指からのバイ菌やウイルスの付着を最小限にできる。  また、錠剤ケースは構造が簡単で分解ができるため洗浄や消毒も容易にできる。
【００１５】
錠剤やカプセルを押し出した後に、ケースカバーのオモテ側をウラ側に差し替えれば、押し出した錠剤やカプセルを外部環境から隔て携帯できる。
【考案の効果】
【００１６】
本考案のＰＴＰ包装錠剤押し出し機能付き錠剤ケースは、片手でＰＴＰ包装された錠剤やカプセルが押し出せて錠剤受け部に集まり、透明なケースカバーを透して種類や数量を確認できる。  錠剤受け部に集められた錠剤やカプセルを取り出し口から服用でき、ケースカバーのオモテ側をウラ側に差し替えると錠剤やカプセルを外部環境から隔て携帯できるため、バイ菌やウイルスの付着を最小限にできる。  また、構造が単純で分解ができるため洗浄や消毒も容易に行える。  ケースカバーのウラ側には錠剤分割突起と突起位置ガイドがあり、指等で錠剤を押すことで錠剤を２分割できる。
【図面の簡単な説明】
【００１７】
【図１】図１は錠剤ケース本体の実施方法を示した図面である。
【図２】図２は錠剤ケース本体の実施方法を示した斜視図である。
【図３】図３はケースカバーの実施方法を示した図面である。
【図４】図４はケースカバーの実施方法を示した斜視図である。
【図５】図5は錠剤ケース使用時の実施例を示した斜視図である。
【図６】図6は錠剤ケースの錠剤やカプセル取り出し方法の実施例を示した斜視図である。
【図７】図7は錠剤ケースの錠剤やカプセル取り出し方法の実施例を示した断面図である。
【図８】図8は錠剤ケースから錠剤やカプセルを取り出す時の実施例を示した斜視図である。
【図９】図９は錠剤ケースで錠剤やカプセルを携帯する方法の実施例を示した斜視図である。
【図１０】図10は錠剤ケースで錠剤を分割する方法の実施例を示した斜視図と断面図である。
【考案を実施するための形態】
【００１８】
ＰＴＰ包装押し出し機能付き錠剤ケースは合成樹脂製の錠剤ケース本体（Ａ）と透明なケースカバーで構成され、ケースカバーのオモテ側（Ｂ）とケースカバーのウラ側（ｂ）が錠剤ケース本体（Ａ）と差し替え自在になっている。  錠剤ケースにはＰＴＰ包装シートの位置決めをする錠剤シート端ガイド（１）と錠剤位置決めガイド（２）と錠剤受け部（３）があり、ケースカバーのオモテ側（Ｂ）には錠剤押し出し溝（４）と錠剤取り出し口（５）があり、ケースカバーのウラ側（ｂ）には錠剤分割突起（６）と突起位置ガイド（７）がある。
【実施例】
【００１９】
図１は、錠剤ケース本体を三角法で描いた図面である。  図２は、錠剤ケース本体（A）と錠剤ケース本体のウラ側（a）の斜視図である。錠剤ケース本体（A）には錠剤シート端ガイド（1）と錠剤位置決めガイド（２）と錠剤受け部（３）がある。
【００２０】
図３は、ケースカバーを三角法で描いた図面である。  図４は、ケースカバーのオモテ側（Ｂ）とケースカバーのウラ側（ｂ）の斜視図である。ケースカバーのオモテ側（Ｂ）には錠剤押し出し溝（４）と錠剤取り出し口（５）があり、ケースカバーのウラ側（ｂ）には錠剤分割突起（６）と突起位置ガイド（７）がある。
【００２１】
図５は、錠剤ケース本体（Ａ）とケースカバーのオモテ側（Ｂ）を組合せたＰＴＰ包装錠剤押し出し状態（Ｃ）と、錠剤ケース本体（Ａ）とケースカバーのウラ側（ｂ）を組合せた錠剤ケース携帯状態（Ｄ）を表している。
【００２２】
図６は、ＰＴＰ包装錠剤押し出し状態（Ｃ）に錠剤のＰＴＰ包装シート（Ｅ）とカプセルのＰＴＰ包装シート（Ｆ）を配置した状態を表す斜視図である。  図７は、ＰＴＰ包装錠剤押し出し状態（Ｃ）に錠剤のＰＴＰ包装シート（Ｅ）とカプセルのＰＴＰ包装シート（Ｆ）を置き、指で押し出している状態の断面図である。錠剤のＰＴＰ包装シート（Ｅ）やカプセルのＰＴＰ包装シート（Ｆ）をＰＴＰ包装錠剤押し出し状態（Ｃ）の錠剤シート端ガイド（1）と錠剤位置決めガイド（２）に合わせると、錠剤のＰＴＰ包装シート（Ｅ）の錠剤やカプセルのＰＴＰ包装シート（Ｆ）のカプセルと、錠剤押し出し溝（４）の位置が合い、錠剤のＰＴＰ包装シート（Ｅ）の錠剤やカプセルのＰＴＰ包装シート（Ｆ）のカプセルを押せば、錠剤やカプセルは錠剤押し出し溝（４）を通り抜け錠剤受け部（３）に落ち、押し出した錠剤やカプセル（８）は錠剤受け部（３）に集まる。
【００２３】
図８は、錠剤取り出し口（５）から押し出した錠剤やカプセル（８）を取り出す状態を表した斜視図である。  押し出した錠剤やカプセル（８）はＰＴＰ包装錠剤押し出し状態（Ｃ）の錠剤ケースを立てると錠剤取り出し口（５）から服用する事ができる。
【００２４】
図９は、押し出した錠剤やカプセル（８）を錠剤受け部（３）に集めたＰＴＰ包装錠剤押し出し状態（Ｃ）と錠剤ケース携帯状態（Ｄ）の断面図である。  押し出した錠剤やカプセル（８）に指で触れずにＰＴＰ包装錠剤押し出し状態（Ｃ）のケースカバーのオモテ側（Ｂ）をケースカバーのウラ側（ｂ）に差し替えると錠剤ケース携帯状態（Ｄ）に変更でき、押し出した錠剤やカプセル（８）を衛生的に外部環境から隔て携帯する事ができる。
【００２５】
図10は、錠剤分割突起（６）が錠剤の中央に位置するように二本の突起位置ガイド（７）で位置決めをした斜視図と錠剤を錠剤分割突起（６）で錠剤を割った状態の断面図である。  錠剤分割突起（６）は扇状に広がる２本の突起位置ガイド（７）の中央位置にある、錠剤を錠剤分割突起（６）の上を滑らせ錠剤が二本の突起位置ガイド（７）で固定される位置で錠剤を押すと、錠剤分割突起（６）で錠剤の中心線上に力が集中し二つに分割する事ができる。
【符号の説明】
【００２６】
Ａ    錠剤ケース本体
ａ    錠剤ケース本体のウラ側
Ｂ    ケースカバーのオモテ側
ｂ    ケースカバーのウラ側
Ｃ    包装錠剤押し出し状態
Ｄ    錠剤ケース携帯状態
Ｅ    錠剤のＰＴＰ包装シート
Ｆ    カプセルのＰＴＰ包装シート
１    錠剤シート端ガイド
２    錠剤位置決めガイド
３    錠剤受け部
４    錠剤押し出し溝
５    錠剤取り出し口
６    錠剤分割突起
７    突起位置ガイド
８    押し出した錠剤やカプセル
【手続補正２】
【補正対象書類名】実用新案登録請求の範囲
【補正対象項目名】請求項１
【補正方法】変更
【補正の内容】
【請求項１】
錠剤シート端ガイド（１）と、錠剤位置決めガイド（２）と、錠剤受け部（３）と、を備えた樹脂製の錠剤ケース本体（Ａ）と、透明な樹脂製のケースカバーで構成され、  錠剤押し出し溝（４）と、錠剤取り出し口（５）と、を備えたケースカバーのオモテ側（Ｂ）と、ケースカバーのウラ側（ｂ）と、は錠剤ケース本体（Ａ）と差し替え自在であることを特徴とするＰＴＰ包装錠剤押し出し機能付き錠剤ケース。